(57)【要約】【課題】  色域全体の色再現を大幅に変更することなく、同時にユーザが合わせたい部分の色を精度よく補正可能な色処理装置及び色処理方法を提供する。【解決手段】  入力された色信号に対して色変換部１により色変換処理を行って、色域全体について一般的に最適な色変換や色調整を行う。その後、色変換処理後の色信号に対して、特に色再現性が問われる特定色について、その特定色を出力装置により出力したときに基準色となるように、補正関数を用いて特定色補正部２で補正処理を行う。補正関数として、直線、折れ線、二次曲線、双曲線、指数曲線、累乗曲線等を用いることができ、特定色を基準色に合わせ込む際に、色域全体の色再現を大幅に変更したり、著しいトーンジャンプや色相ジャンプの発生を防ぐことができる。【選択図】  図１
2006019956.tif 000002
【特許請求の範囲】
【請求項１】
入力された色信号に対して色変換を行う色変換手段と、該色変換手段による色変換後の色信号に対して特定色について優先して補正を行う特定色補正手段を有することを特徴とする色処理装置。
【請求項２】
前記特定色補正手段は、前記特定色を出力装置により出力したときに基準色となるように補正を行うことを特徴とする請求項１に記載の色処理装置。
【請求項３】
ユーザが着目する１ないし数色の選択を受け取って前記特定色とするとともに該特定色に対応づける前記基準色の測色値を受け取る色指定指示手段を有し、前記特定色補正手段は、前記色指定指示手段で受け取った前記特定色及び前記測色値をもとに、前記特定色を出力装置により出力したときに基準色となるように補正を行うことを特徴とする請求項２に記載の色処理装置。
【請求項４】
前記特定色補正手段は、出力装置によって前記基準色を出力させるために前記出力装置に与える目標色信号と、前記特定色に相当する現色信号との対応づけから、色成分毎に所定の補正関数に従って補正を行うことを特徴とする請求項２または請求項３のいずれか１項に記載の色処理装置。
【請求項５】
前記補正関数は、前記現色信号を入力したときに前記目標色信号が出力される直線、折れ線、二次曲線、双曲線、指数曲線、累乗曲線のいずれかの関数であることを特徴とする請求項４に記載の色処理装置。
【請求項６】
処理対象の画像種類と前記補正関数の対応付けを記憶する補正関数記憶手段を有し、前記特定色補正手段は、前記入力された色信号の画像種類に対応する補正関数を使用して補正を行うことを特徴とする請求項４または請求項５に記載の色処理装置。
【請求項７】
処理対象の画像種類と前記補正関数の対応付けを記憶する補正関数記憶手段を有し、前記特定色補正手段は、前記入力された色信号の画像種類に対応する補正関数をユーザに提示するとともにユーザによって前記補正関数記憶手段に記憶されている補正関数の中から選択された補正関数を使用して補正を行うことを特徴とする請求項４または請求項５に記載の色処理装置。
【請求項８】
入力された色信号に対して色変換手段により色変換処理を行った後、該色変換処理後の色信号に対して特定色補正手段により特定色について優先して補正処理を行うことを特徴とする色処理方法。
【請求項９】
前記補正処理は、前記特定色を出力装置により出力したときに基準色となるように補正を行うものであることを特徴とする請求項８に記載の色処理方法。
【請求項１０】
ユーザが着目する１ないし数色の選択を色指定指示手段で受け取って前記特定色とするとともに、該特定色に対応する再現色の測色値を基準色として受け取り、受け取った前記特定色及び前記測色値をもとに、前記特定色を出力装置により出力したときに基準色となるように補正を行うことを特徴とする請求項９に記載の色処理方法。
【請求項１１】
前記補正処理は、出力装置によって前記基準色を出力させるために前記出力装置に与える目標色信号と、前記特定色に相当する現色信号との対応づけから、色成分毎に所定の補正関数に従って補正を行うものであることを特徴とする請求項９または請求項１０のいずれか１項に記載の色処理方法。
【請求項１２】
前記補正関数は、前記現色信号を入力したときに前記目標色信号が出力される直線、折れ線、二次曲線、双曲線、指数曲線、累乗曲線のいずれかの関数であることを特徴とする請求項１１に記載の色処理方法。
【請求項１３】
処理対象の画像種類と前記補正関数の対応付けを補正関数記憶手段に記憶しておき、前記補正処理の際に、前記入力された色信号の画像種類に対応する補正関数を使用して補正を行うことを特徴とする請求項１１または請求項１２に記載の色処理方法。
【請求項１４】
処理対象の画像種類と前記補正関数の対応付けを補正関数記憶手段に記憶しておき、前記入力された色信号の画像種類に対応する補正関数をユーザに提示し、ユーザによって前記補正関数記憶手段に記憶されている補正関数の中から選択された補正関数を使用して補正を行うことを特徴とする請求項１１または請求項１２に記載の色処理方法。
【発明の詳細な説明】
【技術分野】
【０００１】
本発明は、入力された色信号に対して色処理を行うものであり、特に、特定色について補正する色処理技術に関するものである。
【背景技術】
【０００２】
現在、印刷市場に代表されるグラフィックアーツと言われる市場で、印刷物等の基準となる画像出力色に、自社で所有する個々の画像出力装置の色合いを合わせるという「色調整作業」が行われてきている。いわゆる、プルーフィングという用途である。従来の色調整作業では、出力装置の開発者が、印刷等の基準となる出力物の色と、出力装置で再現された色の測色値を用い、例えばニューラルネットワーク線形回帰などの様々な方法で色処理パラメータを設計して、出力装置で再現される色を測色的または視覚的に基準となる出力物の色に一致させることが行われてきた。
【０００３】
このような従来の色調整作業の実現手段としては、例えば、特許文献１に記載されているように、ダイレクトルックアップテーブル（ＤＬＵＴ）という形で出力装置のハードウェアに組み込むということが行われてきた。図５は、ダイレクトルックアップテーブルを用いた色調整処理の一例の説明図である。図５に示すように、それぞれの色成分（この例ではＬ* 、ａ* 、ｂ* ）の軸を複数に分割し、分割することによって得られる色空間中の格子点（図５中の線の交差点）について、変換後の値を保持しておく。入力色信号が格子点の値であれば保持している変換後の値を出力すればよく、また、格子点以外の入力色信号に対しては近くの格子点の値から補間により出力色信号を得る。
【０００４】
色調整作業を行う場合、上述のように出力装置で再現された色を測色する必要がある。色算出精度を考慮すると、少なくともＩＳＯ−１２６４７−１、ＩＳＯ１２６４７−２で規定される９２８色、望ましくは１０００色以上の色パッチについて、出力装置で出力し、測色する必要がある。この色パッチ数を多くすれば、それだけ精度よく色調整を行うことができるが、その分、測色や演算などに時間がかかることになる。しかし、設計されたＤＬＵＴの計算誤差や、設計に使用する出力装置の面内むら、安定性などが誤差として色変換精度に重畳されてしまうという問題がある。
【０００５】
一方、市場でユーザが行う色調整作業としては、自社のデモサンプル、又は色合わせサンプルをプリントし、基準とする印刷物等に合わせることが頻繁に行われる。この場合、ユーザが最も気にする点は、人物画像であれば人肌の色味であり、草木が主体の画像であれば草色の色味である。また、コーポレートロゴによく使用される特色の場合、その色味を特に意識することが多い。
【０００６】
従来、人間が特に認知感度が高いグレーバランスを修正する技術として、特許文献２に記載されているようなＤＬＵＴ補正技術がある。しかし、前述のような特定色を優先して色調整を行う用途に対しては、１０００色以上のパッチを測定して色変換係数を算出する際にユーザが着目する特定色を優先的に合わせ、ＤＬＵＴの色変換パラメータを設計することは現実的に不可能である。また、無理に色を合わせようとすると、ＤＬＵＴの色変換パラメータに歪みを生じることになり、色域全体に不具合が生じることもある。従って、色域全体の再現バランスを取りながら、限られた特定色を合わせるという要求に対処できる実現可能な手法がこれまで存在していなかった。
【０００７】
なお、特許文献２においてはＤＬＵＴとともにＴＲＣ（Ｔｏｎｅ  Ｒｅｐｒｅｓｅｎｔａｔｉｏｎ  Ｃｕｒｖｅ）処理を行う構成も記載されている。しかし、従来のこのような構成は、色域全体に対する最適な再現性を追求するものであり、上述のようなユーザが着目する特定色についての色合わせを行うものではなかった。
【０００８】
【特許文献１】特開２００３−２９８８６２号公報
【特許文献２】特開２００３−１６９２１９号公報
【発明の開示】
【発明が解決しようとする課題】
【０００９】
本発明は、上述した事情に鑑みてなされたもので、色域全体の色再現を大幅に変更することなく、同時にユーザが合わせたい部分の色を精度よく合わせることができる色処理装置及び色処理方法を提供することを目的とするものである。
【課題を解決するための手段】
【００１０】
本発明は、入力された色信号に対して色変換処理を行う色処理装置及び色処理方法であって、まず、入力された色信号に対して色変換手段により色変換処理を行って、色域全体について一般的に最適な色変換や色調整を行う。その後、色変換処理後の色信号に対して、特に色再現性が問われる特定色、例えば人肌などの記憶色やコーポレートカラーなどについて、その特定色を優先した補正処理を特定色補正手段で行う。このとき行う補正処理は、特定色を出力装置により出力したときに基準色となるように補正を行うものである。特定色と基準色は、ユーザによって指定可能に構成することができ、１ないし複数色の特定色の指定と、対応する再現色の測色値を基準色として受け取り、補正処理を行えばよい。
【００１１】
補正処理の具体的な方法としては、出力装置によって基準色を出力させるために出力装置に与える目標色信号と、特定色に相当する現色信号との対応づけから、色成分毎に所定の補正関数に従って補正を行うように構成することができる。このとき用いる補正関数は、現色信号を入力したときに目標色信号が出力される直線、折れ線、二次曲線、双曲線、指数曲線、累乗曲線などの関数を用いることができる。これらの関数は、処理対象の画像種類と対応づけて記憶しておき、補正処理の際に、入力された色信号の画像種類に対応する補正関数を使用して補正を行えばよい。あるいは、入力された色信号の画像種類に対応する補正関数をユーザに提示し、それを参考にしてユーザが補正関数を選択し、選択された補正関数を使用して補正を行うように構成することもできる。
【発明の効果】
【００１２】
本発明によれば、全体として最適な色変換処理を行う色変換手段と、特定色についての補正処理を行う特定色補正手段とを分離して有しているので、色域全体に対して最適な色変換処理が施されるとともに、色域全体の色再現を大幅に変更することなく、色域全体に対する影響を抑えた上で、特定色についても精度よく合わせることができる。このとき、色域全体に対する色変換処理自体は変更せずに、特定色の色調整を行うことができる。そのため、従来のように多数の色パッチを出力して膨大な計算を行わなくてもよく、必要最低限の色パッチの出力及び測色程度で、簡易に、しかもリアルタイムに特定色への対応を図ることができる。また、ユーザーが使用する画像および画像出力装置の使用状態（面内むら、色安定性）など色変換誤差を生じる可能性がある条件については前段の色変換処理によって考慮しておけば、後段の特定色についての補正処理においてはこれらの条件を考慮せずに済み、この面でも簡易に特定色への補正が可能になるという効果がある。
【発明を実施するための最良の形態】
【００１３】
図１は、本発明の第１の実施の形態を示すブロック図である。図中、１は色変換部、２は特定色補正部、１１は前段ＬＵＴ、１２は後段ＬＵＴである。この例では、入力される色信号および出力される色信号とも、ＣＭＹＫ色信号であるものとする。
【００１４】
色変換部１は、入力された色信号に対して色域全体について一般的に最適な色変換や色調整を行う。この例では色変換部１として前段ＬＵＴ１１と後段ＬＵＴ１２により構成された例を示している。前段ＬＵＴ１１は、入力されたＣＭＹＫ色信号を、機器に依存しない色空間である例えばＬ* ａ* ｂ* 色空間に変換する。その後、後段ＬＵＴ１２はＬ* ａ* ｂ* 色空間の色信号を、特定の出力装置において最適に色再現が行われるようなＣＭＹＫ色信号に変換する。もちろん、色変換部１の構成は、このような前段ＬＵＴ１１と後段ＬＵＴ１２を用いた構成に限られるものではない。
【００１５】
特定色補正部２は、色変換部１による色変換後の色信号に対して、特定色について優先して補正を行う。例えば人物画像における人肌の色味や、草木が主体の画像であれば草色の色味、ビジネス文書であればコーポレートカラーなど、特にユーザが気に留める色を特定色として、優先して補正を行うことができる。このとき、例えば印刷物などに印刷された色を基準色とし、その基準色を出力装置によって出力させるために出力装置に与える色信号を目標色信号とし、特定色に相当する現色信号と目標色信号との対応付けから、特定色を出力装置によって出力したときに基準色となるように補正を行うことができる。補正処理は、例えば図１に示しているように、色成分毎に行うことができる。
【００１６】
図２は、特定色補正部２における補正処理で用いる補正関数の一例の説明図である。特定色補正部２において補正処理を行う際には、特定色に相当する現色信号が目標色信号となるように変換する補正関数に従って行うことができる。補正関数としては、例えば、直線、折れ線、二次曲線、双曲線、指数曲線、累乗曲線等の関数を用いることができる。図２に示した例では、ａはｙ＝０．９ｘなる直線関数、ｂはｙ＝（１／０．９）ｘなる直線関数、ｃはｙ＝ｘ2 なる２次曲線、ｄはｙ＝ｘ1/2 なる指数曲線の例を示している。これらの補正関数のいずれを用いるかは、予め決めておくほか、入力された色信号の画像種類に応じて選択するように構成することもできる。これらの補正関数は、上述のように色成分毎に決めておく。なお、実際に補正関数の適用については、演算を行うほか、１次元のＬＵＴを用いて行うことができる。
【００１７】
以下、具体的な事例を用いながら説明してゆく。ここでは、印刷物の特定の色を基準色として、出力装置によってその基準色を再現する場合について説明する。ユーザが印刷物の原稿を入稿しようとする場合、最近では電子データとして例えばＣＭＹＫ色信号を印刷所に送り、印刷することが行われる。オフセット印刷の場合、ＣＭＹＫ単色の色味は、インクを変えることで対応する。通常、ＣＭＹＫ色信号に階調補正を施すか、もしくはそのまま、印刷機に渡されて印刷出力される。
【００１８】
一方、同じＣＭＹＫ色信号をプリンタなどの出力装置に入力し、プリント結果を得た場合、インク（色材）の色味、階調性等の特性が異なるため、印刷機を用いた印刷物とは色再現が異なる場合が多い。そのために、従来から行われているように両者の見えを略一致させるべく、色変換部１によって全体的な色変換を行っている。この色変換部１による色変換によって全体的には良好な再現色に変換されるものの、従来技術でも説明したように、変換誤差が含まれたものとなってしまう。そのため、ユーザが着目している特定色では、明らかに見た目の色が異なり、ユーザの要求を満たさない場合が多く生じることになる。
【００１９】
そこで本発明では、ユーザが特に優先して合わせたい印刷物上の色を基準色とし、またその基準色としたい特定色の色信号を出力装置によって出力したときに、基準色が再現されるように特定色補正部２で補正処理を行う。そのために、まず、基準色の測色値と、特定色の色信号を出力装置によって出力したときの測色値を得る。
【００２０】
図３は、特定色補正部２における補正関数の決定過程の一例の説明図である。図中、２１は印刷機、２２は印刷物、２３，２６は測色機、２４は出力装置、２５は出力結果である。入力されるＣＭＹＫ色信号をＣ（Ｏ）Ｍ（Ｏ）Ｙ（Ｏ）Ｋ（Ｏ）とする。このＣ（Ｏ）Ｍ（Ｏ）Ｙ（Ｏ）Ｋ（Ｏ）色信号あるいはさらに補正を加えた色信号を印刷機２１に入力し、印刷物２２を得る。この印刷物２２は、予め印刷されたものであってよい。印刷機２１で印刷された印刷物２２について、ユーザが特に優先して合わせたい基準色を測色器２３で測色する。この測色値をＬ* （Ｏ），ａ* （Ｏ），ｂ* （Ｏ）とする。
【００２１】
また、同じＣ（Ｏ）Ｍ（Ｏ）Ｙ（Ｏ）Ｋ（Ｏ）色信号を色変換部１に入力し、得られた変換後の色信号Ｃ（Ｄ”）Ｍ（Ｄ”）Ｙ（Ｄ”）Ｋ（Ｄ”）を、特定色補正部２で補正処理せずにそのまま出力装置２４に入力して出力結果２５を得る。この出力結果２５中の基準色として再現したい特定色が再現された色について、測色器２６（測色器２３と同じものでよい）によって測色し、測色値Ｌ* （Ｄ），ａ* （Ｄ），ｂ* （Ｄ）を得る。
【００２２】
このようにして得られた基準色の測色値Ｌ* （Ｏ），ａ* （Ｏ），ｂ* （Ｏ）を後段ＬＵＴ１２に入力し、変換後の色信号Ｃ（Ｄ’）Ｍ（Ｄ’）Ｙ（Ｄ’）Ｋ（Ｄ’）を得る。同様に、特定色に対応する色の測色値Ｌ* （Ｄ），ａ* （Ｄ），ｂ* （Ｄ）を後段ＬＵＴ１２に入力し、変換後の色信号Ｃ（Ｄ）Ｍ（Ｄ）Ｙ（Ｄ）Ｋ（Ｄ）を得る。得られたＣ（Ｄ’）Ｍ（Ｄ’）Ｙ（Ｄ’）Ｋ（Ｄ’）とＣ（Ｄ）Ｍ（Ｄ）Ｙ（Ｄ）Ｋ（Ｄ）をそれぞれ単色ごとに対応づけ、それぞれの単色における補正関数を決定する。すなわち、ＣについてはＣ（Ｄ）が入力されたときにＣ（Ｄ’）が出力される関数をＣに対する補正関数とし、同様に、ＭについてはＭ（Ｄ）が入力されたときにＭ（Ｄ’）が出力される関数をＭに対する補正関数とし、ＹについてはＹ（Ｄ）が入力されたときにＹ（Ｄ’）が出力される関数をＹに対する補正関数とし、ＫについてはＫ（Ｄ）が入力されたときにＫ（Ｄ’）が出力される関数をＫに対する補正関数とすればよい。
【００２３】
適用する補正関数としては、例えば図２に示したように各種の関数を用いることができる。これらの関数は、それぞれの色ごとに違う関数を用いてもよいことは言うまでもない。
【００２４】
特定色補正部２は、上述のようにして決めた補正関数を用い、補正処理を行うことになる。補正関数は、上述のように特定色と基準色との関係により決めているので、この補正関数を用いて補正処理を行うことにより、特定色については優先して基準色が再現される色信号に補正され、また、その特定色の補正によって色域全体の色再現を大幅に変更することが無く、かつ、著しいトーンジャンプや色相ジャンプが発生すること無く、補正処理を行うことができる。従来の特定色補正部２を設けない構成では、特定色に関して色差５以上の誤差を生じ、見た目に明らかに色の違いを感じていたものが、色差２〜３程度となり、見た目にも色の違いを感じないような程度まで改善することができる。
【００２５】
更に、色変換部１については変更する必要がないため、多量の色パッチの出力及び測色を必要とせずに特定色補正部２で用いる補正関数を設定することができ、高速かつ簡易に特定色についての補正を行うことができる。また、簡易に特定色についての補正を行うことができるので、ユーザが自らの使用画像に応じてカスタマイズできるというメリットもある。逆に色変換部１を変更しないことによって、色域全体の再現性については変更されないため、新たな二次障害を生む可能性が少なく、この点も本発明の利点である。
【００２６】
なお、特定色として合わせたい色が複数存在する場合には、その複数の特定色について対応する基準色が再現されるように補正関数を設定すればよい。例えば高次関数やスプライン曲線などを補正関数として使用すれば、特定色が多い場合でも対応可能である。上述の２次関数や指数関数、累乗関数などでも、２〜３の特定色については対応することができるし、ある程度のばらつきを許容するのであれば、これらの関数によってより多くの特定色についても補正関数として利用することができる。
【００２７】
図４は、本発明の第２の実施の形態を示すブロック図である。図中、図１と同様の部分には同じ符号を付して重複する説明を省略する。３は補正関数記憶部、４は色指定指示部である。この第２の実施の形態では、図１に示した構成に加えて、補正関数記憶部３及び色指定指示部４を設けた例を示している。なお、このうちの一方のみを加えた構成も可能である。
【００２８】
補正関数記憶部３は、処理対象の画像種類と補正関数の対応付けを記憶するものである。画像種類としては、例えば、写真画像、グラフィック画像、文字・線画画像などがあり、これらの画像種類に対応した補正関数を対応づけて補正関数記憶部３に記憶させておく。
【００２９】
また色指定指示部４は、ユーザが着目する１ないし数色の選択を受け取って特定色とするとともに、その特定色に対応づける基準色の測色値を受け取る。この色指定指示部４を用いて、ユーザは所望の特定色について、優先して補正処理を行わせることができる。
【００３０】
特定色補正部２は、色指定指示部４で受け取った特定色及び対応する基準色の測色値をともに、特定色を出力装置により出力したときに基準色となるように、入力された色信号の画像種類に対応する補正関数を用いて補正処理を行う。このときの補正関数の決定は、入力される色信号の画像種類を、色信号の解析結果や色信号に負荷されている属性情報、あるいはユーザからの指定などに応じて決定し、その画像種類に対応づけられている補正関数を補正関数記憶部３から得ておく。そして、第１の実施の形態と同様に基準色の測色値を後段ＬＵＴ１２により変換することによって得られるＣ（Ｄ’）Ｍ（Ｄ’）Ｙ（Ｄ’）Ｋ（Ｄ’）と、特定色に対応する色の測色値Ｌ* （Ｄ），ａ* （Ｄ），ｂ* （Ｄ）を後段ＬＵＴ１２により変換して得られるＣ（Ｄ）Ｍ（Ｄ）Ｙ（Ｄ）Ｋ（Ｄ）とを対応づけて、それぞれの単色における補正関数のパラメータを決定すればよい。より簡易には、基準色の測色値から得られるＣ（Ｄ’）Ｍ（Ｄ’）Ｙ（Ｄ’）Ｋ（Ｄ’）と、特定色を色変換部１で変換したＣ（Ｄ”）Ｍ（Ｄ”）Ｙ（Ｄ”）Ｋ（Ｄ”）とを対応づけて補正関数のパラメータを決定してもよい。
【００３１】
なお、使用する補正関数は、画像種類に対応した補正関数を補正関数記憶部３から得た時点で、あるいはパラメータまで決定した時点で、ユーザに提示し、ユーザの指示を受けるように構成してもよい。この場合、ユーザは提示された補正関数が不所望である場合には、例えば補正関数記憶部３に記憶されている別の補正関数の中から所望の補正関数を選択し、あるいは任意に補正関数を設定する。特定色補正部２は、選択あるいは設定された補正関数を用いることと決定し、補正関数が変更された場合は必要に応じてパラメータの設定を行い、補正処理を行うことになる。このユーザによる補正関数の選択は、具体的な関数形状を選択するほか、例えばシャドー部重視、ハイライト部重視、中間調重視などといった補正モードを選択し、その用途に対応する補正関数を決定するように構成してもよい。
【００３２】
このような第２の実施の形態によれば、上述の第１の実施の形態と同様の効果を奏するとともに、ユーザによる特定色の設定を容易に行うことができ、また、補正関数をユーザが変更することが可能になる。従って、より自由度の高い構成を提供することができる。
【００３３】
上述の第１及び第２の実施の形態では、いずれもＣＭＹＫ→Ｌ* ａ* ｂ* →ＣＭＹＫの変換を行うものとして説明したが、本発明はこれに限らないことは言うまでもない。例えば２段階の変換を一体的に行うＣＭＹＫ→ＣＭＹＫの変換を行う場合においても、同様の効果が得られる。また、入力される色信号がＣＭＹＫ以外であってもよく、例えばＲＧＢ色信号が入力され、ＲＧＢ→Ｌ* ａ* ｂ* →ＣＭＹＫの変換を行う場合においても、同様の効果が得られる。もちろん、ｓＲＧＢ、モニタＲＧＢであっても同様であるし、Ｌ* ａ* ｂ* やＹＣｒＣｂ、ＸＹＺなどの各種の色空間の色信号が入力されてもよい。
【００３４】
また、本発明の色処理装置及び色処理方法は、例えばプリンタなどの出力装置に組み込まれたハードウェアあるいはソフトウェア（プログラム）として実現することができる。あるいは、出力装置とは別の装置として構成されたり、あるいは出力装置に対して出力を指示するコンピュータにおけるデバイスドライバとして組み込むことも可能である。本発明の色処理方法をソフトウェアで実現する場合、そのソフトウェアをコンピュータが読取可能な各種の記憶媒体に格納しておくことができる。
【図面の簡単な説明】
【００３５】
【図１】本発明の第１の実施の形態を示すブロック図である。
【図２】特定色補正部２における補正処理で用いる補正関数の一例の説明図である。
【図３】特定色補正部２における補正関数の決定過程の一例の説明図である。
【図４】本発明の第２の実施の形態を示すブロック図である。
【図５】ダイレクトルックアップテーブルを用いた色調整処理の一例の説明図である。
【符号の説明】
【００３６】
１…色変換部、２…特定色補正部、３…補正関数記憶部、４…色指定指示部、１１…前段ＬＵＴ、１２…後段ＬＵＴ、２１…印刷機、２２…印刷物、２３，２６…測色機、２４…出力装置、２５…出力結果。
【図１】
2006019956.tif 000003
【図２】
2006019956.tif 000004
【図３】
2006019956.tif 000005
【図４】
2006019956.tif 000006
【図５】
2006019956.tif 000007